(57)【特許請求の範囲】
【請求項１】
送信器からの無線信号を受信する受信器における受信方法であって、
前記受信された無線信号に基づく入力信号に対して干渉を除去する干渉除去処理を行い、
前記干渉除去された信号を復号し判定復号情報を生成する判定復号処理を行い、
前記生成された判定復号情報を前記干渉除去処理にさらに入力することで前記干渉除去処理及び前記判定復号処理を繰り返すとともに、前記繰り返しにより生成された複数の判定復号情報に基づいて前記干渉除去処理の実行回数を制御し、
前記判定復号処理は、前記入力信号を復調する復調処理と、前記復調された信号を復号する復号処理とを有し、
前記実行回数の制御は、前記復調処理により生成された復調後信号、もしくは、前記復号処理により生成された復号後信号に基づいて、前記実行回数を制御し、
前記実行回数の制御は、前記繰り返しにより新たに生成された復号後信号と以前に生成された復号後信号とのビットパターンを比較した結果に基づいて、前記実行回数を制御すし、
前記実行回数の制御は、前記比較結果と、前記復号後信号の誤り訂正符号化率により重み付けされた値とに基づいて、前記実行回数を制御する、
受信方法。
【請求項２】
前記実行回数の制御は、前記繰り返しにより新たに生成された復号後信号と以前に生成された復号後信号との異なるビットパターンの数と、前記重み付けされた値とを比較し、前記実行回数を制御する、請求項１に記載の受信方法。
【請求項３】
送信器からの無線信号を受信する受信器における受信方法であって、
前記受信された無線信号に基づく入力信号に対して干渉を除去する干渉除去処理を行い、
前記干渉除去された信号を復号し判定復号情報を生成する判定復号処理を行い、
前記生成された判定復号情報を前記干渉除去処理にさらに入力することで前記干渉除去処理及び前記判定復号処理を繰り返すとともに、前記繰り返しにより生成された複数の判定復号情報に基づいて前記干渉除去処理の実行回数を制御し、
前記判定復号処理は、前記入力信号を復調する復調処理と、前記復調された信号を復号する復号処理とを有し、
前記実行回数の制御は、前記復調処理により生成された復調後信号、もしくは、前記復号処理により生成された復号後信号に基づいて、前記実行回数を制御し、
前記実行回数の制御は、前記繰り返しにより新たに生成された復調後信号と以前に生成された復調後信号とから求められる分散値に基づいて、前記実行回数を制御し、
前記実行回数の制御は、前記分散値と、前記無線信号に含まれるリファレンス信号の受信状態により重み付けされた値とに基づいて、前記実行回数を制御する、
受信方法。
【請求項４】
前記実行回数の制御は、前記繰り返しにより新たに生成された復調後信号と以前に生成された復調後信号とのビット毎の分散値を平均した値と、前記重み付けされた値とを比較し、前記実行回数を制御する、請求項３に記載の受信方法。
【請求項５】
前記実行回数の制御は、前記復号後信号に含まれるパリティビットの検査結果に基づいて、前記実行回数を制御する、請求項１乃至４のいずれかに記載の受信方法。
【請求項６】
送信器からの無線信号を受信する受信器であって、
前記受信された無線信号に基づく入力信号に対して干渉を除去する干渉除去処理を行う干渉除去処理部と、
前記干渉除去された信号を復号し判定復号情報を生成する判定復号処理を行う判定復号処理部と、
前記生成された判定復号情報を前記干渉除去処理にさらに入力することで前記干渉除去処理及び前記判定復号処理を繰り返すとともに、前記繰り返しにより生成された複数の判定復号情報に基づいて前記干渉除去処理を実行する回数を制御する繰り返し制御部と、を備え、
前記判定復号処理部は、前記入力信号を復調する復調処理部と、前記復調された信号を復号する復号処理部とを有し、
前記繰り返し制御部は、前記復調処理部により生成された復調後信号、もしくは、前記復号処理部により生成された復号後信号に基づいて、前記実行回数を制御し、
前記繰り返し制御部は、前記繰り返しにより新たに生成された復号後信号と以前に生成された復号後信号とのビットパターンを比較した結果に基づいて、前記実行回数を制御すし、
前記繰り返し制御部は、前記比較結果と、前記復号後信号の誤り訂正符号化率により重み付けされた値とに基づいて、前記実行回数を制御する、
受信器。
【請求項７】
送信器からの無線信号を受信する受信器であって、
前記受信された無線信号に基づく入力信号に対して干渉を除去する干渉除去処理を行う干渉除去処理部と、
前記干渉除去された信号を復号し判定復号情報を生成する判定復号処理を行う判定復号処理部と、
前記生成された判定復号情報を前記干渉除去処理にさらに入力することで前記干渉除去処理及び前記判定復号処理を繰り返すとともに、前記繰り返しにより生成された複数の判定復号情報に基づいて前記干渉除去処理を実行する回数を制御する繰り返し制御部と、を備え、
前記判定復号処理部は、前記入力信号を復調する復調処理部と、前記復調された信号を復号する復号処理部とを有し、
前記繰り返し制御部は、前記復調処理部により生成された復調後信号、もしくは、前記復号処理部により生成された復号後信号に基づいて、前記実行回数を制御し、
前記繰り返し制御部は、前記繰り返しにより新たに生成された復調後信号と以前に生成された復調後信号とから求められる分散値に基づいて、前記実行回数を制御し、
前記繰り返し制御部は、前記分散値と、前記無線信号に含まれるリファレンス信号の受信状態により重み付けされた値とに基づいて、前記実行回数を制御する、
受信器。
【発明の詳細な説明】
【技術分野】
【０００１】
本発明は、受信方法及び受信器に関し、特に、無線信号の干渉除去処理を行う受信方法及び受信器に関する。
【背景技術】
【０００２】
近年、無線通信システムではＭＩＭＯ（Multiple Input Multiple Output）技術が注目されており、このようなシステムの干渉対策として、ＳＩＣ（Successive Interference Cancellation：逐次干渉除去）法が知られている。ＳＩＣ法を用いた受信器が特許文献１に記載されている。
【０００３】
図８に、関連する無線通信システムにおいてＳＩＣ法を用いた受信器の構成を示す。図８では、１例として１つの送信器７００と１つの受信器７０１が存在する場合を示したが、実際には複数の送信器７００が存在する。
【０００４】
送信器７００は、リファレンス信号とユーザデータ信号を多重した時間領域の送信信号を受信器７０１に対して送信する。
【０００５】
受信器７０１は、Ａ／Ｄ変換部７０２、ＦＦＴ部７０３、サブキャリア抽出部７０４、干渉除去部７０５、復調部７０６、復号部７０７、干渉レプリカ生成部７０８を有する。
【０００６】
Ａ／Ｄ変換部７０２は、送信器７００からリファレンス信号とユーザデータ信号が多重された時間領域の送信信号が、伝搬路などの影響を受けた時間領域の受信信号として入力される。入力された時間領域の受信信号はデジタル信号に変換される。変換された時間領域の受信信号は、ＦＦＴ部７０３に出力される。
【０００７】
ＦＦＴ部７０３は、Ａ／Ｄ変換部７０２から時間領域の受信信号が入力される。入力された時間領域の受信信号は、ＦＦＴ処理されて周波数領域の受信信号に変換される。周波数領域の受信信号は、サブキャリア抽出部７０４に出力される。
【０００８】
サブキャリア抽出部７０４は、ＦＦＴ部７０３から周波数領域の受信信号が入力される。入力された周波数領域の受信信号から、リファレンス信号とユーザデータ信号が多重されたサブキャリアを抽出する。抽出されたユーザデータ信号は干渉除去部７０５に出力され、抽出されたリファレンス信号は復調部７０６に出力される。
【０００９】
干渉除去部７０５は、サブキャリア抽出部７０４からユーザデータ信号が入力され、干渉レプリカ生成部７０８から干渉レプリカ信号が入力される。干渉除去部７０５は、"干渉除去回数＋１"回だけ実行され、干渉除去回数はパラメータとして固定的に与える。入力された干渉レプリカ信号をユーザデータ信号から差し引くことにより干渉除去を行い、干渉除去後ユーザデータ信号が生成される。但し、初回の場合は、干渉レプリカ信号が存在しないために干渉除去ができないため、入力されたユーザデータ信号を干渉除去後ユーザデータとして扱う。干渉除去後ユーザデータ信号は、復調部７０６に出力される。
【００１０】
復調部７０６は、サブキャリア抽出部７０４からリファレンス信号が入力され、干渉除去部７０５から干渉除去後ユーザデータ信号が入力される。復調部７０６は、"干渉除去回数＋１"回だけ実行される。入力されたリファレンス信号を用いて干渉除去後ユーザデータ信号は等化処理されることにより、干渉除去後ユーザデータ信号から伝搬路等に起因する歪みが除去され、等化後ユーザデータ信号が生成される。生成された等化後ユーザデータ信号は、復号部７０７に出力される。
【００１１】
復号部７０７は、復調部７０６から等化後ユーザデータ信号が入力される。復号部７０７は、"干渉除去回数＋１"回だけ実行される。入力された等化後ユーザデータ信号を復号処理することにより、復号後ユーザデータ信号を生成する。生成された復号後ユーザデータ信号は、干渉レプリカ生成部７０８に出力される。
【００１２】
干渉レプリカ生成部７０８は、復号部７０７から復号後ユーザデータ信号が入力される。干渉レプリカ生成部７０８は、"干渉除去回数"だけ実行される。入力された復号後ユーザデータ信号を用いて、周波数領域の受信信号に含まれる干渉成分に相当する干渉レプリカ信号を生成する。生成された干渉レプリカ信号は、干渉除去部７０５に出力される。
【００１３】
また、関連する無線通信システムの受信器として特許文献２，３が知られている。特許文献２では、誤り訂正符号化前の伝搬路状態に応じて干渉除去の繰り返し数を制御しており、特許文献３では、１つの干渉除去処理について、ＣＲＣなどのチェックサムの判定結果に基づき干渉除去の実行を制御している。
【先行技術文献】
【特許文献】
【００１４】
【特許文献１】特開２０１０−１３０２０５号公報
【特許文献２】特開２００９−３０２７６６号公報
【特許文献３】特表２００８−５３７４３６号公報
【発明の概要】
【発明が解決しようとする課題】
【００１５】
図８のような関連する受信器では、干渉除去回数が固定で設定されているため、固定の干渉除去回数に達する前に干渉除去が不要となる場合に、余分な干渉除去に関する処理が発生して処理遅延が生じ、また、余分に装置の電力消費が必要となるという問題点があった。
【００１６】
また、特許文献２のような関連する受信器では、誤り訂正符号化前の伝搬路状態に応じて干渉除去の繰り返し数を制御しているものの、誤り訂正後の処理が考慮されていないため、誤り訂正能力によっては干渉除去回数を最適化できず処理速度を向上できない場合があり、また、特許文献３のような関連する受信器においても、１つの干渉除去処理について、ＣＲＣなどのチェックサムの判定結果に基づき干渉除去の実行を制御しているものの、誤り訂正後のユーザデータ信号自信を考慮せず、干渉除去処理の繰り返しにも対応していないため、干渉除去回数を最適化できず処理速度を向上できない場合があるという問題点があった。
【００１７】
（本発明の目的）
本発明の目的は、上述した課題を解決する受信方法及び受信器を提供することにある。
【課題を解決するための手段】
【００１８】
本発明の受信方法は、送信器からの無線信号を受信する受信器における受信方法であって、前記受信された無線信号に基づく入力信号に対して干渉を除去する干渉除去処理を行い、前記干渉除去された信号を復号し判定復号情報を生成する判定復号処理を行い、前記生成された判定復号情報を前記干渉除去処理にさらに入力することで前記干渉除去処理及び前記判定復号処理を繰り返すとともに、前記繰り返しにより生成された複数の判定復号情報に基づいて前記干渉除去処理の実行回数を制御するものである。
【００１９】
また、本発明の受信器は、送信器からの無線信号を受信する受信器であって、前記受信された無線信号に基づく入力信号に対して干渉を除去する干渉除去処理を行う干渉除去処理部と、前記干渉除去された信号を復号し判定復号情報を生成する判定復号処理を行う判定復号処理部と、前記生成された判定復号情報を前記干渉除去処理にさらに入力することで前記干渉除去処理及び前記判定復号処理を繰り返すとともに、前記繰り返しにより生成された複数の判定復号情報に基づいて前記干渉除去処理を実行する回数を制御する繰り返し制御部と、を備えるものである。
【発明の効果】
【００２０】
本発明により、干渉除去回数を最適化し、処理時間の短縮及び消費電力の低減を図る受信方法及び受信器を提供することができる。
【図面の簡単な説明】
【００２１】
【図１】本発明による無線通信システムにおける受信器の構成の一例を示すブロック図である。
【図２】本発明の第１の実施形態による無線通信システムにおける受信器の構成を示すブロック図である。
【図３】本発明の第１の実施形態による無線通信システムにおける受信器の動作を示すフローチャートである。
【図４】本発明の第２の実施形態による無線通信システムにおける受信器の構成を示すブロック図である。
【図５】本発明の第２の実施形態による無線通信システムにおける受信器の動作を示すフローチャートである。
【図６】本発明の第３の実施形態による無線通信システムにおける受信器の構成を示すブロック図である。
【図７】本発明の第３の実施形態による無線通信システムにおける受信器の動作を示すフローチャートである。
【図８】関連する無線通信システムにおける受信器の構成を示すブロック図である。
【発明を実施するための形態】
【００２２】
（本発明の特徴）
本発明の実施形態の説明に先立って、本発明の特徴についてその概要をまず説明する。
【００２３】
図１に示すように、本発明の受信器１１は、干渉除去処理部１２、判定復号処理部１３及び繰り返し制御部１４を備えている。そして、干渉除去処理部１２は、送信機１０から受信された無線信号に基づく入力信号に対して干渉を除去し、判定復号処理部１３は、干渉除去された信号を復号し判定復号情報を生成し、繰り返し制御部１４は、生成された判定復号情報を干渉除去処理部１２にさらに入力することで干渉除去処理及び判定復号処理を繰り返すとともに、繰り返し生成された複数の判定復号情報に基づいて干渉除去処理を実行する回数を制御することを、本発明の主要な特徴としている。
【００２４】
例えば、判定復号情報は、判定復号処理部１３が復調処理によって生成した復調後ユーザデータ信号や復号処理によって生成した復号後データ信号などである。また、例えば、干渉除去処理の実行回数の制御は、判定復号情報により干渉除去処理が不要と判断された場合に、干渉除去処理の実行を中止することで、実行回数を制御する。
【００２５】
すなわち、本発明においては、判定復号処理部１３によって繰り返し生成される、複数の復号後ユーザデータ信号や復調後ユーザデータ信号などの判定復号情報に応じて、干渉除去処理の繰り返し回数を制御することで、干渉除去処理の実行回数を最適化し、処理時間を短縮及び装置の消費電力の低減を図っている。
【００２６】
（本発明の第１の実施形態）
次に、本発明の第１の実施形態について図２及び図３を参照して詳細に説明する。
【００２７】
図２は、本発明の第１の実施形態による無線通信システムにおいてＳＩＣ法を用いた受信器の構成を示すブロック図である。無線信システムでは、１つの送信器１００と１つの受信器１０１を有している。
【００２８】
送信器１００は、リファレンス信号とユーザデータ信号を多重した時間領域の送信信号を受信器１０１に対して送信する。
【００２９】
受信器１０１は、Ａ／Ｄ変換部１０２、ＦＦＴ部１０３、サブキャリア抽出部１０４、干渉除去部１０５、復調部１０６、復号部１０７、軟判定ビット検査部１０８、干渉レプリカ生成部１０９を有する。なお、図１との対応関係について説明すると、干渉レプリカ生成部１０９及び干渉除去部１０５が干渉除去処理部１２に対応し、復調部１０６及び復号部１０７が判定復号処理部１３に対応し、軟判定ビット検査部１０８が繰り返し制御部１４に対応する。また、以下の説明では、干渉除去実行情報の設定・通知により干渉除去などの実行を制御しているが、例えば、干渉除去実行情報を不図示の記憶部に記憶し、該干渉除去実行情報を記憶部から取得することで、干渉除去実行情報の設定・通知を行うことができる。
【００３０】
Ａ／Ｄ変換部１０２は、送信器１００からリファレンス信号とユーザデータ信号が多重された時間領域の送信信号が、伝搬路などの影響を受けた時間領域の受信信号として入力される。入力された時間領域の受信信号はデジタル信号に変換される。変換された時間領域の受信信号は、ＦＦＴ部１０３に出力される。
【００３１】
ＦＦＴ部１０３は、Ａ／Ｄ変換部１０２から時間領域の受信信号が入力される。入力された時間領域の受信信号は、ＦＦＴ処理されて周波数領域の受信信号に変換される。周波数領域の受信信号は、サブキャリア抽出部１０４に出力される。
【００３２】
サブキャリア抽出部１０４は、ＦＦＴ部１０３から周波数領域の受信信号が入力される。入力された周波数領域の受信信号から、リファレンス信号とユーザデータ信号が多重されたサブキャリアを抽出する。抽出されたユーザデータ信号は干渉除去部１０５に出力され、抽出されたリファレンス信号は復調部１０６に出力される。
【００３３】
干渉除去部１０５は、サブキャリア抽出部１０４からユーザデータ信号が入力され、干渉レプリカ生成部１０９から干渉レプリカ信号が入力され、軟判定ビット検査部１０８から干渉除去実行情報が通知される。通知された干渉除去実行情報が中止を示す場合、干渉除去部１０５は動作しない。一方、通知された干渉除去実行情報が実行を示す場合、入力された干渉レプリカ信号をユーザデータ信号から差し引くことにより干渉除去を行い、干渉除去後ユーザデータ信号が生成される。但し、初回動作の場合は必ず実行されて、入力されたユーザデータ信号を干渉除去後ユーザデータとして扱う。生成された干渉除去後ユーザデータ信号は、復調部１０６に出力される。
【００３４】
復調部１０６は、サブキャリア抽出部１０４からリファレンス信号が入力され、干渉除去部１０５から干渉除去後ユーザデータ信号が入力され、軟判定ビット検査部１０８から干渉除去実行情報が通知される。通知された干渉除去実行情報が中止を示す場合、復調部１０６は動作しない。一方、通知された干渉除去実行情報が実行を示す場合、入力されたリファレンス信号を用いて干渉除去後ユーザデータ信号が等化処理されることにより、干渉除去後ユーザデータ信号から伝搬路等に起因する歪みが除去され、等化後ユーザデータ信号が生成される。但し、初回動作の場合は必ず実行される。生成された等化後ユーザデータ信号は、復号部１０７に出力される。
【００３５】
復号部１０７は、復調部１０６から等化後ユーザデータ信号が入力され、軟判定ビット検査部１０８から干渉除去実行情報が通知される。通知された干渉除去実行情報が中止を示す場合、復号部１０７は動作しない。一方、通知された干渉除去実行情報が実行を示す場合、入力された等化後ユーザデータ信号を復号処理することにより、復号後ユーザデータ信号を生成する。但し、初回動作の場合は必ず実行される。生成された復号後ユーザデータ信号は、軟判定ビット検査部１０８と干渉レプリカ生成部１０９に出力される。
【００３６】
軟判定ビット検査部１０８は、復号部１０７から復号後ユーザデータ信号が入力される。入力された復号後ユーザデータは保存される。入力された復号後ユーザデータ信号にＣＲＣのようなパリティビットが含まれており、かつ、パリティビットの検査結果がＯＫである場合、次の干渉除去処理を中止すると判定して、干渉除去実行情報を中止と設定する。一方、入力された復号後ユーザデータ信号にパリティビットが含まれると同時にパリティビットの検査結果がＮＧの場合、もしくは、入力された復号後ユーザデータ信号にパリティビットが含まれない場合、以下の処理を実行する。
【００３７】
すなわち、初回の干渉除去処理の場合、干渉除去実行情報を実行と設定する。２回目以降の干渉除去処理の場合、保持している古い復号後ユーザデータ信号と入力された新しい復号後ユーザデータ信号のビットパターンを比較して、異なるビットパターン数をカウントして軟判定ビット差分ＮＳＯＦＴ（ｓ）を得る。ここで、変数ｓは干渉除去回数番号（正の整数）を示す。例えば、軟判定ビット検査部１０８は、復号部１０７が繰り返し生成する復号後ユーザデータ信号や、復調部１０６が繰り返し生成する復調後ユーザデータ信号を不図示の記憶部に順次記憶し、復調部１０６及び復号部１０７の繰り返し処理によって新たに生成された今回の信号と以前に生成された前回の信号との比較を行う。また、パラメータとして与える軟判定用干渉除去判定閾値ＴｈｒＳＯＦＴ（ｓ）に対して、ＮＳＯＦＴ（ｓ）≧ＴｈｒＳＯＦＴ（ｓ）とならない場合は次の干渉除去処理を中止すると判定して、干渉除去実行情報を中止と設定する。一方、ＮＳＯＦＴ（ｓ)≧ＴｈｒＳＯＦＴ（ｓ）となる場合は次の干渉除去処理を実行すると判定して、干渉除去実行情報を実行と設定する。軟判定用干渉除去判定閾値ＴｈｒＳＯＦＴ（ｓ）は、次の式１により補正可能とする。
【数１】
0005724565.tif 000002
【００３８】
ここで、ＣｏｅｆＳＯＦＴ（ｓ）はユーザデータ信号の誤り訂正符号化率に応じて設定可能な実数である。すなわち、閾値に対して誤り訂正符号化率による重み付けがされている。前記干渉除去実行情報は、干渉除去部１０５、復調部１０６、復号部１０７、干渉レプリカ生成部１０９に通知される。
【００３９】
干渉レプリカ生成部１０９は、復号部１０７から復号後ユーザデータ信号が入力され、軟判定ビット検査部１０８から干渉除去実行情報が通知される。通知された干渉除去実行情報が中止を示す場合、干渉レプリカ部１０９は動作しない。一方、通知された干渉除去実行情報が実行を示す場合、入力された復号後ユーザデータ信号を用いて、周波数領域のユーザデータ信号に含まれる干渉成分に相当する干渉レプリカ信号を生成する。但し、初回動作の場合は必ず実行される。生成された干渉レプリカ信号は、干渉除去部１０５に出力される。
【００４０】
次に、本発明の第１の実施形態の動作について説明する。以下の説明では、１例として１つの送信器１００と１つの受信器１０１が存在する場合に、無線通信システムにおける受信器１０１についての処理を述べる。
【００４１】
図３は、本発明における、受信器１０１の動作を示すフローチャートである。以下、受信器１０１における受信処理について図３を参照し説明する。
【００４２】
まず、受信器１０１は、送信器１００から送信されたリファレンス信号とユーザデータ信号が多重された時間領域の送信信号を受信する（ステップ２００）。
【００４３】
次いで、Ａ／Ｄ変換部１０２は、Ａ／Ｄ変換により時間領域の受信信号をデジタル信号に変換し（ステップ２０１）、ＦＦＴ部１０３は、時間領域の受信信号をＦＦＴ処理して周波数領域に変換し（ステップ２０２）、サブキャリア抽出部１０４は、周波数領域の受信信号からリファレンス信号とユーザデータ信号を抽出する（ステップ２０３）。
【００４４】
次いで、干渉除去部１０５は、初回処理の場合、入力されたユーザデータ信号をそのまま出力する（ステップ２０４）。また、初回処理ではない場合、干渉レプリカ信号を用いてユーザデータ信号から干渉成分を除去する（ステップ２０５）。
【００４５】
次いで、復調部１０６は、リファレンス信号を用いて干渉除去後ユーザデータ信号を等化処理し（ステップ２０６）、復号部１０７は、等化後ユーザデータ信号を復号処理する（ステップ２０７）。
【００４６】
次いで、軟判定ビット検査部１０８は、復号後ユーザデータ信号を保存する（ステップ２０８）。そして、復号後ユーザデータ信号にパリティビットが含まれ、かつ、パリティビットの検査結果がＯＫである場合、干渉除去実行情報を中止に設定して処理を終了する（ステップ２０９、ステップ２１３）。また、復号後ユーザデータ信号にパリティビットが含まれると同時にパリティビットの検査結果がＮＧの場合、もしくは、入力された復号後ユーザデータ信号にパリティビットが含まれない場合、次のステップ２１０の処理を実行する（ステップ２０９）。
【００４７】
すなわち、初回処理の場合、干渉除去実行情報を実行に設定する（ステップ２１０、ステップ２１４）。また、初回処理ではない場合、保存されている古い復号後ユーザデータ信号と新しい復号後ユーザデータ信号の異なるビットパターンの数をカウントして軟判定ビット差分ＮＳＯＦＴ（ｓ）を得る（ステップ２１１）。そして、軟判定ビット差分ＮＳＯＦＴ（ｓ）と軟判定用干渉除去判定閾値ＴｈｒＳＯＦＴ（ｓ）を比較し（ステップ２１２）、ＮＳＯＦＴ（ｓ）≧ＴｈｒＳＯＦＴ（ｓ）とならない場合、干渉除去実行情報を中止に設定して、処理を終了し（ステップ２１３）、ＮＳＯＦＴ（ｓ）≧ＴｈｒＳＯＦＴ（ｓ）となる場合、干渉除去実行情報を実行に設定する（ステップ２１４）。
【００４８】
次いで、干渉レプリカ生成部１０９は、復号後ユーザデータ信号から干渉レプリカ信号を生成し（ステップ２１５）、干渉除去部１０５の処理（ステップ２０４）以降を繰り返す。
【００４９】
以上説明したように、本発明の第１の実施形態では、復号後ユーザデータ信号に基づき、特に、古い干渉除去処理における復号後ユーザデータ信号と新しい干渉除去処理における復号後ユーザデータ信号、または、復号後ユーザデータ信号に含まれるパリティビットの検査結果に基づいて、干渉除去処理の実行を制御することで、干渉除去回数を適応的に決定することができる。したがって、受信器が必要とする干渉除去回数を把握し、干渉除去処理の回数の最適化が可能となり、処理時間の短縮や消費電力の低減を図ることができる。
【００５０】
また、繰り返しにより新たに生成された復号後ユーザデータ信号と以前に生成された復号後ユーザデータ信号との異なるビットパターンの数と、干渉除去判定閾値とを比較することにより、効果的に干渉除去処理の実行回数を制御できる。さらに、干渉除去判定閾値を誤り訂正符号化率により重み付けすることにより、動的に閾値が変動するため、より精度よく干渉除去処理の実行回数を制御できる。
【００５１】
（本発明の第２の実施形態）
次に、本発明の第２の実施形態について図４及び図５を参照して詳細に説明する。
【００５２】
図４は、本発明の第２の実施形態による無線通信システムにおいてＳＩＣ法を用いた受信器の構成を示すブロック図である。無線信システムでは、１つの送信器３００と１つの受信器３０１を有している。
【００５３】
送信器３００は、リファレンス信号とユーザデータ信号を多重した時間領域の送信信号を受信器３０１に対して送信する。
【００５４】
受信器３０１は、Ａ／Ｄ変換部３０２、ＦＦＴ部３０３、サブキャリア抽出部３０４、干渉除去部３０５、復調部３０６、復号部３０７、硬判定ビット検査部３０８、干渉レプリカ生成部３０９を有する。なお、図１との対応関係について説明すると、干渉レプリカ生成部３０９及び干渉除去部３０５が干渉除去処理部１２に対応し、復調部３０６及び復号部３０７が判定復号処理部１３に対応し、硬判定ビット検査部３０８が繰り返し制御部１４に対応する。
【００５５】
Ａ／Ｄ変換部３０２は、送信器３００からリファレンス信号とユーザデータ信号が多重された時間領域の送信信号が、伝搬路などの影響を受けた時間領域の受信信号として入力される。入力された時間領域の受信信号はデジタル信号に変換される。変換された時間領域の受信信号は、ＦＦＴ部３０３に出力される。
【００５６】
ＦＦＴ部３０３は、Ａ／Ｄ変換部３０２から時間領域の受信信号が入力される。入力された時間領域の受信信号は、ＦＦＴ処理されて周波数領域の受信信号に変換される。周波数領域の受信信号は、サブキャリア抽出部３０４に出力される。
【００５７】
サブキャリア抽出部３０４は、ＦＦＴ部３０３から周波数領域の受信信号が入力される。入力された周波数領域の受信信号から、リファレンス信号とユーザデータ信号が多重されたサブキャリアを抽出する。抽出されたユーザデータ信号は干渉除去部３０５に出力され、抽出されたリファレンス信号は復調部３０６に出力される。
【００５８】
干渉除去部３０５は、サブキャリア抽出部３０４からユーザデータ信号が入力され、干渉レプリカ生成部３０９から干渉レプリカ信号が入力され、硬判定ビット検査部３０８から干渉除去実行情報が通知される。通知された干渉除去実行情報が中止を示す場合、干渉除去部３０５は動作しない。一方、通知された干渉除去実行情報が実行を示す場合、入力された干渉レプリカ信号をユーザデータ信号から差し引くことにより干渉除去を行い、干渉除去後ユーザデータ信号が生成される。但し、初回動作の場合は必ず実行されて、入力されたユーザデータ信号を干渉除去後ユーザデータとして扱う。生成された干渉除去後ユーザデータ信号は、復調部３０６に出力される。
【００５９】
復調部３０６は、サブキャリア抽出部３０４からリファレンス信号が入力され、干渉除去部３０５から干渉除去後ユーザデータ信号が入力され、硬判定ビット検査部３０８から干渉除去実行情報が通知される。通知された干渉除去実行情報が中止を示す場合、復調部３０６は動作しない。一方、通知された干渉除去実行情報が実行を示す場合、入力されたリファレンス信号を用いて干渉除去後ユーザデータ信号が等化処理されることにより、干渉除去後ユーザデータ信号から伝搬路等に起因する歪みが除去され、等化後ユーザデータ信号が生成される。但し、初回動作の場合は必ず実行される。生成された等化後ユーザデータ信号は、復号部３０７と硬判定ビット検査部３０８に出力される。
【００６０】
復号部３０７は、復調部３０６から等化後ユーザデータ信号が入力され、硬判定ビット検査部３０８から干渉除去実行情報が通知される。通知された干渉除去実行情報が中止を示す場合、復号部３０７は動作しない。一方、通知された干渉除去実行情報が実行を示す場合、入力された等化後ユーザデータ信号を復号処理することにより、復号後ユーザデータ信号を生成する。但し、初回動作の場合は必ず実行される。生成された復号後ユーザデータ信号は、硬判定ビット検査部３０８と干渉レプリカ生成部３０９に出力される。
【００６１】
硬判定ビット検査部３０８は、復調部３０６から等化後ユーザデータ信号、復号部３０７から復号後ユーザデータ信号が入力される。入力された等化後ユーザデータと復号後ユーザデータ信号は保存される。入力された復号後ユーザデータ信号にＣＲＣのようなパリティビットが含まれており、かつ、パリティビットの検査結果がＯＫである場合、次の干渉除去処理を中止すると判定して、干渉除去実行情報を中止と設定する。一方、入力された復号後ユーザデータ信号にパリティビットが含まれると同時にパリティビットの検査結果がＮＧの場合、もしくは、入力された復号後ユーザデータ信号にパリティビットが含まれない場合、以下の処理を実行する。
【００６２】
すなわち、初回の干渉除去処理の場合、干渉除去実行情報を実行と設定する。２回目以降の干渉除去処理の場合、保持している古い等化後ユーザデータ信号と入力された新しい等化後ユーザデータ信号のビット毎の分散値（差分）を平均して、硬判定差分平均値ＡｖｇＨＡＲＤ（ｓ）を得る。ここで、パラメータとして与える硬判定用干渉除去判定閾値ＴｈｒＨＡＲＤ（ｓ）に対して、ＡｖｇＨＡＲＤ（ｓ）≧ＴｈｒＨＡＲＤ（ｓ）とならない場合は次の干渉除去処理を中止すると判定して、干渉除去実行情報を中止と設定する。一方、ＡｖｇＨＡＲＤ（ｓ）≧ＴｈｒＨＡＲＤ（ｓ）となる場合は次の干渉除去処理を実行すると判定して、干渉除去実行情報を実行と設定する。硬判定用干渉除去判定閾値ＴｈｒＨＡＲＤ（ｓ）は、次の式２により補正可能とする。
【数２】
0005724565.tif 000003
【００６３】
ここで、ＣｏｅｆＨＡＲＤ（ｓ）はリファレンス信号から推定した受信状態に応じて設定可能な実数である。すなわち、閾値に対してリファレンス信号から推定した受信状態による重み付けがされている。前記干渉除去実行情報は、干渉除去部３０５、復調部３０６、復号部３０７、干渉レプリカ生成部３０９に通知される。
【００６４】
干渉レプリカ生成部３０９は、復号部３０７から復号後ユーザデータ信号が入力され、硬判定ビット検査部３０８から干渉除去実行情報が通知される。通知された干渉除去実行情報が中止を示す場合、干渉レプリカ部３０９は動作しない。一方、通知された干渉除去実行情報が実行を示す場合、入力された復号後ユーザデータ信号を用いて、周波数領域のユーザデータ信号に含まれる干渉成分に相当する干渉レプリカ信号を生成する。但し、初回動作の場合は必ず実行される。生成された干渉レプリカ信号は、干渉除去部３０５に出力される。
【００６５】
次に、本発明の第２の実施形態の動作について説明する。以下の説明では、１例として１つの送信器３００と１つの受信器３０１が存在する場合に、無線通信システムにおける受信器３０１についての処理を述べる。
【００６６】
図５は、本発明における、受信器３０１の動作を示すフローチャートである。以下、受信器３０１における受信処理について図５を参照し説明する。
【００６７】
まず、受信器３０１は、送信器３００から送信されたリファレンス信号とユーザデータ信号が多重された時間領域の送信信号を受信する（ステップ４００）。
【００６８】
次いで、Ａ／Ｄ変換部３０２は、Ａ／Ｄ変換により時間領域の受信信号をデジタル信号に変換し（ステップ４０１）、ＦＦＴ部３０３は、時間領域の受信信号をＦＦＴ処理して周波数領域に変換し（ステップ４０２）、サブキャリア抽出部３０４は、周波数領域の受信信号からリファレンス信号とユーザデータ信号を抽出する（ステップ４０３）。
【００６９】
次いで、干渉除去部３０５は、初回処理の場合、入力されたユーザデータ信号をそのまま出力する（ステップ４０４）。また、初回処理ではない場合、干渉レプリカ信号を用いてユーザデータ信号から干渉成分を除去する（ステップ４０５）。
【００７０】
次いで、復調部３０６は、リファレンス信号を用いて干渉除去後ユーザデータ信号を等化処理し（ステップ４０６）、復号部３０７は、等化後ユーザデータ信号を復号処理する（ステップ４０７）。
【００７１】
次いで、硬判定ビット検査部３０８は、等化後ユーザデータ信号と復号後ユーザデータ信号を保存する（ステップ４０８）。そして、復号後ユーザデータ信号にパリティビットが含まれ、かつ、パリティビットの検査結果がＯＫである場合、干渉除去実行情報を中止に設定して処理を終了する（ステップ４０９、ステップ４１３）。また、復号後ユーザデータ信号にパリティビットが含まれると同時にパリティビットの検査結果がＮＧの場合、もしくは、入力された復号後ユーザデータ信号にパリティビットが含まれない場合、次のステップ４１０の処理を実行する（ステップ４０９）。
【００７２】
すなわち、初回処理の場合、干渉除去実行情報を実行に設定する（ステップ４１０、ステップ４１４）。また、初回処理ではない場合、保存されている古い等化後ユーザデータ信号と新しい等化後ユーザデータ信号のビット毎の分散値（差分）を平均して、硬判定ビット差分値ＡｖｇＨＡＲＤ（ｓ）を得る（ステップ４１１）。そして、硬判定ビット差分値ＡｖｇＨＡＲＤ（ｓ）と硬判定用干渉除去判定閾値ＴｈｒＨＡＲＤ（ｓ）を比較し（ステップ４１２）、ＡｖｇＨＡＲＤ（ｓ）≧ＴｈｒＨＡＲＤ（ｓ）とならない場合、干渉除去実行情報を中止に設定して、処理を終了し（ステップ４１３）、ＡｖｇＨＡＲＤ（ｓ)≧ＴｈｒＨＡＲＤ（ｓ）となる場合、干渉除去実行情報を実行に設定する（ステップ４１４）。
【００７３】
次いで、干渉レプリカ生成部３０９は、復号後ユーザデータ信号から干渉レプリカ信号を生成し（ステップ４１５）、干渉除去部３０５の処理（ステップ４０４）以降を繰り返す。
【００７４】
以上説明したように、本発明の第２の実施形態では、復調後ユーザデータ信号に基づき、特に、古い干渉除去処理における復調後ユーザデータ信号と新しい干渉除去処理における復調後ユーザデータ信号、または、復号後ユーザデータ信号に含まれるパリティビットの検査結果に基づいて、干渉除去処理の実行を制御することで、干渉除去回数を適応的に決定することができる。したがって、第１の実施形態と同様に、処理時間の短縮や消費電力の低減を図ることができる。
【００７５】
また、繰り返しにより新たに生成された復調後ユーザデータ信号と以前に生成された復調後ユーザデータ信号とのビット毎の分散値を平均した値と、干渉除去判定閾値とを比較することにより、効果的に干渉除去処理の実行回数を制御できる。さらに、干渉除去判定閾値をリファレンス信号の受信状態により重み付けすることにより、動的に閾値が変動するため、より精度よく干渉除去処理の実行回数を制御できる。
【００７６】
（本発明の第３の実施形態）
次に、本発明の第３の実施形態について図６及び図７を参照して詳細に説明する。
【００７７】
図６は、本発明の第３の実施形態による無線通信システムにおいてＳＩＣ法を用いた受信器の構成を示すブロック図である。無線信システムでは、１つの送信器５００と１つの受信器５０１を有している。
【００７８】
送信器５００は、リファレンス信号とユーザデータ信号を多重した時間領域の送信信号を受信器５０１に対して送信する。
【００７９】
受信器５０１は、Ａ／Ｄ変換部５０２、ＦＦＴ部５０３、サブキャリア抽出部５０４、干渉除去部５０５、復調部５０６、復号部５０７、硬軟判定ビット検査部５０８、干渉レプリカ生成部５０９を有する。なお、図１との対応関係について説明すると、干渉レプリカ生成部５０９及び干渉除去部５０５が干渉除去処理部１２に対応し、復調部５０６及び復号部５０７が判定復号処理部１３に対応し、硬軟判定ビット検査部５０８が繰り返し制御部１４に対応する。
【００８０】
Ａ／Ｄ変換部５０２は、送信器５００からリファレンス信号とユーザデータ信号が多重された時間領域の送信信号が、伝搬路などの影響を受けた時間領域の受信信号として入力される。入力された時間領域の受信信号はデジタル信号に変換される。変換された時間領域の受信信号は、ＦＦＴ部５０３に出力される。
【００８１】
ＦＦＴ部５０３は、Ａ／Ｄ変換部５０２から時間領域の受信信号が入力される。入力された時間領域の受信信号は、ＦＦＴ処理されて周波数領域の受信信号に変換される。周波数領域の受信信号は、サブキャリア抽出部５０４に出力される。
【００８２】
サブキャリア抽出部５０４は、ＦＦＴ部５０３から周波数領域の受信信号が入力される。入力された周波数領域の受信信号から、リファレンス信号とユーザデータ信号が多重されたサブキャリアを抽出する。抽出されたユーザデータ信号は干渉除去部５０５に出力され、抽出されたリファレンス信号は復調部５０６に出力される。
【００８３】
干渉除去部５０５は、サブキャリア抽出部５０４からユーザデータ信号が入力され、干渉レプリカ生成部５０９から干渉レプリカ信号が入力され、硬軟判定ビット検査部５０８から干渉除去実行情報が通知される。通知された干渉除去実行情報が中止を示す場合、干渉除去部５０５は動作しない。一方、通知された干渉除去実行情報が実行を示す場合、入力された干渉レプリカ信号をユーザデータ信号から差し引くことにより干渉除去を行い、干渉除去後ユーザデータ信号が生成される。但し、初回動作の場合は必ず実行されて、入力されたユーザデータ信号を干渉除去後ユーザデータとして扱う。生成された干渉除去後ユーザデータ信号は、復調部５０６に出力される。
【００８４】
復調部５０６は、サブキャリア抽出部５０４からリファレンス信号が入力され、干渉除去部５０５から干渉除去後ユーザデータ信号が入力され、硬軟判定ビット検査部５０８から干渉除去実行情報が通知される。通知された干渉除去実行情報が中止を示す場合、復調部５０６は動作しない。一方、通知された干渉除去実行情報が実行を示す場合、入力されたリファレンス信号を用いて干渉除去後ユーザデータ信号が等化処理されることにより、干渉除去後ユーザデータ信号から伝搬路等に起因する歪みが除去され、等化後ユーザデータ信号が生成される。但し、初回動作の場合は必ず実行される。生成された等化後ユーザデータ信号は、復号部５０７と硬軟判定ビット検査部５０８に出力される。
【００８５】
復号部５０７は、復調部５０６から等化後ユーザデータ信号が入力され、硬軟判定ビット検査部５０８から干渉除去実行情報が通知される。通知された干渉除去実行情報が中止を示す場合、復号部５０７は動作しない。一方、通知された干渉除去実行情報が実行を示す場合、入力された等化後ユーザデータ信号を復号処理することにより、復号後ユーザデータ信号を生成する。但し、初回動作の場合は必ず実行される。生成された復号後ユーザデータ信号は、硬軟判定ビット検査部５０８と干渉レプリカ生成部５０９に出力される。
【００８６】
硬軟判定ビット検査部５０８は、復調部５０６から等化後ユーザデータ信号、復号部５０７から復号後ユーザデータ信号が入力される。入力された等化後ユーザデータと復号後ユーザデータ信号は保存される。入力された復号後ユーザデータ信号にＣＲＣのようなパリティビットが含まれており、かつ、パリティビットの検査結果がＯＫである場合、次の干渉除去処理を中止すると判定して、干渉除去実行情報を中止と設定する。一方、入力された復号後ユーザデータ信号にパリティビットが含まれると同時にパリティビットの検査結果がＮＧの場合、もしくは、入力された復号後ユーザデータ信号にパリティビットが含まれない場合、以下の処理を実行する。
【００８７】
すなわち、初回の干渉除去処理の場合、干渉除去実行情報を実行と設定する。２回目以降の干渉除去処理の場合、保持している古い等化後ユーザデータ信号と入力された新しい等化後ユーザデータ信号のビット毎の分散値（差分）を平均して、硬判定差分平均値ＡｖｇＨＡＲＤ（ｓ）を得る。保持している古い復号後ユーザデータ信号と入力された新しい復号後ユーザデータ信号のビットパターンを比較して、異なるビットパターン数をカウントして軟判定ビット差分ＮＳＯＦＴ（ｓ）を得る。ここで、パラメータとして与える硬判定用干渉除去判定閾値ＴｈｒＨＡＲＤ（ｓ）と軟判定用干渉除去判定閾値ＴｈｒＳＯＦＴ（ｓ）に対して、ＡｖｇＨＡＲＤ（ｓ）＜ＴｈｒＨＡＲＤ（ｓ）、かつ、ＮＳＯＦＴ（ｓ）＜ＴｈｒＳＯＦＴ（ｓ）となる場合は次の干渉除去処理を中止すると判定して、干渉除去実行情報を中止と設定する。一方、ＡｖｇＨＡＲＤ（ｓ）≧ＴｈｒＨＡＲＤ（ｓ）、もしくは、ＮＳＯＦＴ（ｓ）≧ＴｈｒＳＯＦＴ（ｓ）となる場合は次の干渉除去処理を実行すると判定して、干渉除去実行情報を実行と設定する。硬判定用干渉除去判定閾値ＴｈｒＨＡＲＤ（ｓ）と軟判定用干渉除去判定閾値ＴｈｒＳＯＦＴ（ｓ）は、それぞれ上記の式１、式２により補正可能とする。前記干渉除去実行情報は、干渉除去部５０５、復調部５０６、復号部５０７、干渉レプリカ生成部５０９に通知される。
【００８８】
干渉レプリカ生成部５０９は、復号部５０７から復号後ユーザデータ信号が入力され、硬軟判定ビット検査部５０８から干渉除去実行情報が通知される。通知された干渉除去実行情報が中止を示す場合、干渉レプリカ部５０９は動作しない。一方、通知された干渉除去実行情報が実行を示す場合、入力された復号後ユーザデータ信号を用いて、周波数領域のユーザデータ信号に含まれる干渉成分に相当する干渉レプリカ信号を生成する。但し、初回動作の場合は必ず実行される。生成された干渉レプリカ信号は、干渉除去部５０５に出力される。
【００８９】
次に、本発明の第３の実施形態の動作について説明する。以下の説明では、１例として１つの送信器５００と１つの受信器５０１が存在する場合に、無線通信システムにおける受信器５０１についての処理を述べる。
【００９０】
図７は、本発明における、受信器５０１の動作を示すフローチャートである。以下、受信器５０１における受信処理について図７を参照し説明する。
【００９１】
まず、受信器５０１は、送信器５００から送信されたリファレンス信号とユーザデータ信号が多重された時間領域の送信信号を受信する（ステップ６００）。
【００９２】
次いで、Ａ／Ｄ変換部５０２は、Ａ／Ｄ変換により時間領域の受信信号をデジタル信号に変換し（ステップ６０１）、ＦＦＴ部５０３は、時間領域の受信信号をＦＦＴ処理して周波数領域に変換し（ステップ６０２）、サブキャリア抽出部５０４は、周波数領域の受信信号からリファレンス信号とユーザデータ信号を抽出する（ステップ６０３）。
【００９３】
次いで、干渉除去部５０５は、初回処理の場合、入力されたユーザデータ信号をそのまま出力する（ステップ６０４）。また、初回処理ではない場合、干渉レプリカ信号を用いてユーザデータ信号から干渉成分を除去する（ステップ６０５）。
【００９４】
次いで、復調部５０６は、リファレンス信号を用いて干渉除去後ユーザデータ信号を等化処理し（ステップ６０６）、復号部５０７は、等化後ユーザデータ信号を復号処理する（ステップ６０７）。
【００９５】
次いで、硬軟判定ビット検査部５０８は、等化後ユーザデータ信号と復号後ユーザデータ信号を保存する（ステップ６０８）。そして、復号後ユーザデータ信号にパリティビットが含まれ、かつ、パリティビットの検査結果がＯＫである場合、干渉除去実行情報を中止に設定して処理を終了する（ステップ６０９、ステップ６１５）。また、復号後ユーザデータ信号にパリティビットが含まれると同時にパリティビットの検査結果がＮＧの場合、もしくは、入力された復号後ユーザデータ信号にパリティビットが含まれない場合、次のステップ６１０の処理を実行する（ステップ６０９）。
【００９６】
すなわち、初回処理の場合、干渉除去実行情報を実行に設定する（ステップ６１０、ステップ６１６）。また、初回処理ではない場合、保存されている古い等化後ユーザデータ信号と新しい等化後ユーザデータ信号のビット毎の分散値（差分）を平均して、硬判定ビット差分値ＡｖｇＨＡＲＤ（ｓ）を得る（ステップ６１１）。そして、硬判定ビット差分値ＡｖｇＨＡＲＤ（ｓ）と硬判定用干渉除去判定閾値ＴｈｒＨＡＲＤ（Ｓ）を比較し（ステップ６１２）、ＡｖｇＨＡＲＤ（ｓ）≧ＴｈｒＨＡＲＤ（ｓ）となる場合、干渉除去実行情報を実行に設定し（ステップ６１６）、ＡｖｇＨＡＲＤ（ｓ）≧ＴｈｒＨＡＲＤ（ｓ）とならない場合、保存されている古い復号後ユーザデータ信号と新しい復号後ユーザデータ信号の異なるビットパターンの数をカウントして軟判定ビット差分ＮＳＯＦＴ（ｓ）を得る（ステップ６１３）。
【００９７】
さらに、軟判定ビット差分ＮＳＯＦＴ（ｓ）と軟判定用干渉除去判定閾値ＴｈｒＳＯＦＴ（ｓ）を比較し（ステップ６１４）、ＮＳＯＦＴ（ｓ）≧ＴｈｒＳＯＦＴ（ｓ）とならない場合、干渉除去実行情報を中止に設定して、処理を終了し（ステップ６１５）、ＮＳＯＦＴ（ｓ）≧ＴｈｒＳＯＦＴ（ｓ）となる場合、干渉除去実行情報を実行に設定する（ステップ６１６）。
【００９８】
次いで、干渉レプリカ生成部５０９は、復号後ユーザデータ信号から干渉レプリカ信号を生成し（ステップ６１７）、干渉除去部５０５の処理（ステップ４０４）以降を繰り返す。
【００９９】
以上説明したように、本発明の第３の実施形態では、復号後ユーザデータ信号及び復調後ユーザデータ信号に基づき、特に、古い干渉除去処理における復号後ユーザデータ信号と新しい干渉除去処理における復号後ユーザデータ信号に加えて、古い干渉除去処理における復調後ユーザデータ信号と新しい干渉除去処理における復調後ユーザデータ信号に基づいて、さらに、復号後ユーザデータ信号に含まれるパリティビットの検査結果に基づいて、干渉除去処理の実行を制御することで、干渉除去回数を適応的に決定することができる。したがって、第１、２の実施形態よりもさらに、干渉除去回数を最適化することがで、より処理時間の短縮や消費電力の低減を図ることができる。
【０１００】
また、複数の復号後ユーザデータ信号間の異なるビットパターンの数と、軟判定用干渉除去判定閾値とを比較し、複数の復調後ユーザデータ信号間のビット毎の分散値を平均した値と、硬判定用干渉除去判定閾値とを比較することにより、効果的に干渉除去処理の実行回数を制御できる。さらに、軟判定用干渉除去判定閾値を誤り訂正符号化率により重み付けし、硬判定干渉除去判定閾値をリファレンス信号の受信状態により重み付けすることにより、動的に閾値が変動するため、より精度よく干渉除去処理の実行回数を制御できる。
【０１０１】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１０２】
１０  送信器
１１  受信器
１２  干渉除去処理部
１３  判定復号処理部
１４  繰り返し制御部
１００ 送信器
１０１ 受信器
１０２ Ａ／Ｄ変換部
１０３ ＦＦＴ部
１０４ サブキャリア抽出部
１０５ 干渉除去部
１０６ 復調部
１０７ 復号部
１０８ 軟判定ビット検査部
１０９ 干渉レプリカ生成部
３００ 送信器
３０１ 受信器
３０２ Ａ／Ｄ変換部
３０３ ＦＦＴ部
３０４ サブキャリア抽出部
３０５ 干渉除去部
３０６ 復調部
３０７ 復号部
３０８ 硬判定ビット検査部
３０９ 干渉レプリカ生成部
５００ 送信器
５０１ 受信器
５０２ Ａ／Ｄ変換部
５０３ ＦＦＴ部
５０４ サブキャリア抽出部
５０５ 干渉除去部
５０６ 復調部
５０７ 復号部
５０８ 硬軟判定ビット検査部
５０９ 干渉レプリカ生成部
７００ 送信器
７０１ 受信器
７０２ Ａ／Ｄ変換部
７０３ ＦＦＴ部
７０４ サブキャリア抽出部
７０５ 干渉除去部
７０６ 復調部
７０７ 復号部
７０８ 干渉レプリカ生成部
【図１】
0005724565.tif 000004
【図２】
0005724565.tif 000005
【図３】
0005724565.tif 000006
【図４】
0005724565.tif 000007
【図５】
0005724565.tif 000008
【図６】
0005724565.tif 000009
【図７】
0005724565.tif 000010
【図８】
0005724565.tif 000011